【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
中間構造材８４、支柱構造材、保持構造材、保持部品５４および枠付き平面部品２０，２２からなり、前記中間構造材８４がU字型断面の収容部４４を有し、前記支持構造材に中間構造材８４を収容するための、U字型断面の収容部８２が形成され、前記保持構造材が長方形断面を持つ四面体の中空構造材であり、この場合に保持構造材１６が保持部品５４を収容するための収容開口部５６を持ち、前記枠付き平面部品２０，２２が保持部品５４により保持構造材に固定され、中間構造材のU字型断面の収容部が、保持構造材16を収容するために形成されることを特徴とする、カーテンウォール式ファサード、ファサード上張、採光屋根、冬園、防音壁、見本市建造物、簡易車庫のための、この場合に多数の構造帯材によって形成される各支柱構造材が、U字型断面の収容部８２と長方形断面の中空室８０を持つ建築部材システム。
【請求項２】
中間構造材８４，８４'が、保持構造材１６を固定するためのねじ１８を収容するために、保持部分９４，９４'を持ち、中間構造材８４'の保持部分９４'が、支柱構造材７０'の構造帯材７４'で中間構造材８４'を支持するための支持部分として形成されることを特徴とする、請求項１記載の建築部材システム。
【請求項３】
二つの中空室構造材２００，２０２および連結部品２０４からなり、前記中空室構造材２００，２０２が特に好ましくは支柱構造材７０，７０'と同様に形成され、前記連結部品２０４が中空室構造材を直角に連結するために働き、この場合に各連結部品が、連結される一方の中空構造材２０２の中空室に挿入するための挿入部分、連結される第二中空構造材２００の開口部２２６に掛けるための引掛け部分、および引掛け部分を開口部に掛けた後に、第二中空構造材２００の開口部２２６内で連結部品をロックするための、スライド式ロック部品２４０を持つことを特徴とする、請求項１又は２記載の建築部材システム。
【請求項４】
保持構造材、保持部品５４および枠付き平面部品２０，２２からなり、前記保持構造材が長方形断面を備える四面体の中空構造材１６として形成され、前記保持部品５４を収容するための収容開口部５６が保持構造材１６に備えられ、前記枠付き平面部品２０，２２が保持部品５４によって保持構造材に固定されることを特徴とする、支柱構造材１０；７０用の保持構造材１６、保持構造材、枠付き平面部品２０，２２を含む、請求項１から３のいずれかに記載の建築部材システム。
【請求項５】
断面が基本的にU字型の収容部８２を有し、前記収容部８２が保持構造材１６を収容するために形成されることを特徴とする、支柱構造材７０、保持構造材１６、枠付き平面部品２０，２２用の中間構造材８４，８４'を含む、ファサード、ファサード上張、採光屋根、冬園、防音壁、見本市建造物、簡易車庫のための、特に好ましくは請求項１から３のいずれかに記載の建築部材システム。
【請求項６】
特殊鋼鉤として形成され、枠付き平面部品２０，２２に掛けるための収容部５８と、保持構造材に自身を掛けるための固定部分６０を持ち、この場合に固定部分が斜面を持ち、負荷を受けると鉤が保持構造材に向けて引張られることを特徴とする、請求項１から３のいずれかに記載の建築部材システムおよび請求項４に記載の保持構造材のための、保持部品５４。
【請求項７】
外部枠構造材３６、中央枠構造材３８、内部枠構造材４０を持つ枠および平面部品からなり、前記外部枠構造材がアルミニウムから製造され、前記中央枠構造材および前記内部枠構造材がプラスチック、特に好ましくはグラスファイバ補強されるプラスチックから製造され、この場合に外部枠構造材と中央枠構造材は密着式に連結され、内部枠構造材と中央枠構造材は掛け止めされ、それぞれ二つの中央枠構造材あるいはそれぞれ二つの外部枠構造材がコーナ部材１８０によって相互に連結され、前記平面部品が特に好ましくは二重板ガラスとして形成されて、内部枠構造材と外部枠構造材の間に挟み込まれ、前記外部枠構造材３６が、前記中央枠構造材と密着式に連結するために鳩尾形の溝か、鳩尾形の実（さね）を持ち、前記中央枠構造材３８が、前記外部枠構造材３６と密着式に連結するための鳩尾形の溝か、鳩尾形の実４８を持ち、前記内部枠構造材４０が、前記中央枠構造材の掛止め部分に対して少なくとも部分的に相補的な掛止め部分を持ち、自身の掛止め部分と中央枠構造材の掛止め部分とが掛け止めされることを特徴とする、カーテンウォール式ファサード、ファサード上張、採光屋根、冬園、防音壁、見本市建造物、簡易車庫のための、特に好ましくは請求項１から３のいずれかに記載の建築部材システムのための、枠付き平面部品２０，２２。
【請求項８】
数個の底部部品１４８、数個の連結部品１４４、スタンドレール１３８および支柱接続部品１３６からなり、前記底部部品がねじによって直接基礎上で固定され、前記連結部品がねじ１４６とプレート１４２を含み、規定通りの取付け状態においてねじがプレートを貫く形でねじ込まれ、前記スタンドレール内でプレートが、底部部品内でねじがガイドされ、あるいは逆の組合せでそれぞれガイドされ、ねじを回転させることによりスタンドレールの高さ調節が達成でき、前記支柱接続部品が支柱構造材とスタンドレールを連結するために形成されることを特徴とする、支柱構造材７０、保持構造材１６、枠付き平面部品２０，２２を含む、カーテンウォール式ファサード、ファサード上張、採光屋根、冬園、防音壁、見本市建造物、簡易車庫のための、特に好ましくは請求項１から３のいずれかに記載の建築部材システム。
【請求項９】
ガイド１２２を持ち、このガイドの中に変位できる形でボルトが保持されることを特徴とする、支柱構造材１０；７０、保持構造材１６、枠付き平面部品２０，２２を含む、カーテンウォール式ファサード、ファサード上張、採光屋根、冬園、防音壁、見本市建造物、簡易車庫のための、特に好ましくは請求項１から３のいずれかに記載の横木構造材１１０。
【請求項１０】
挿入部分、引掛け部品およびスライド式のロック部品２４０からなり、前記挿入部分が、相互に連結される中空室構造材２０２の一方の中空室２１４に挿入するために働き、前記引掛け部品が、相互に連結される中空室構造材の、第二中空室構造材の開口部２２６に掛けるために働き、前記ロック部品が、引掛け部品を第二中空室構造材内の開口部２２６に掛けた後に、この開口部２２６内で連結部品をロックするために働くことを特徴とする、二つの中空室構造材２００，２０２を直角に連結するための、特に好ましくは請求項１から３のいずれかに記載の建築部材システムのための、連結部品２０４。
【請求項１１】
外部枠構造材、中央枠構造材、金属製のコーナ部材および平面部品について、前記外部枠構造材と前記中央枠構造材のそれぞれに鳩尾形の溝か実（さね）が割り当てられ、この場合に中央枠構造材がプラスチックによって構成され、外部枠構造材がアルミニウムによって構成され、両者がローラ加圧によって相互に連結され、前記コーナ部材が二つの中央枠構造あるいは外部枠構造のいずれかに差し込まれ、各枠構造材が差し込まれたコーナ部材と共に加圧されて枠を形成し、前記平面部品が特に好ましくは二枚の板ガラスからなり、形成される枠に周囲を囲まれ、場合によってはガスケットやスペーサといった他の部品と共に封入され、内部枠構造材が中央枠構造材と掛止めされ、前記コーナ部材と前記中央枠構造材について、前記コーナ部材が前記中央枠構造材に差し込まれた後に、両者共に加圧する前に、コーナ部材を差し込まれた中央枠構造材の領域が加熱されることを特徴とし、この場合にコーナ部品が二つの中央枠構造材のそれぞれに差し込まれることを特徴とする、カーテンウォール式ファサード、ファサード上張、採光屋根、冬園、防音壁、見本市建造物、簡易車庫のための枠付き平面部品を製造するための、特に好ましくは請求項１から３のいずれかに記載の建築部材システムのために、枠付き平面部品を製造するための方法。
【請求項１２】
以下の構造よりなる構造：
カーテンウォール式ファサード、ファサード上張、採光屋根、冬園、防音壁、見本市建造物、簡易車庫であって、建築部材システム及び／又は建築部材を使用して建造されることを特徴とする、請求項１から１０のいずれかに記載の構造。